(57)【要約】【課題】薄いシート状のものに、安定して取り付けることができる調律用クリップを提供する。【解決手段】調律器用クリップは、回動軸５に回動自在に支持された２個の挾持部３ａ，４ａと、挾持部３ａ，４ａが互いに近づく方向に挾持部３ａ，４ａを付勢する付勢部８と、回動軸５に回動自在に支持され、挾持部３ａ，４ａと連動し、互いに近づく方向に操作されると挾持部３ａ，４ａを互いに離れさせる２個の操作部３ｂ，４ｂと、挾持部３ａ，４ａの一方の外側に設けられた、調律器を取り付けるための取付部７と、挾持部３ａ，４ａの内側から突出し、弾性体で形成され、調律器用クリップが閉じた状態で互いに接触する２個の凸部３ｇ，４ｇと、を含む。【選択図】図１
2011197528.tif 000002
【特許請求の範囲】
【請求項１】
回動軸に回動自在に支持された２個の挾持部と、
上記挾持部が互いに近づく方向に上記挾持部を付勢する付勢部と、
上記回動軸に回動自在に支持され、上記挾持部と連動し、互いに近づく方向に操作されると上記挾持部を互いに離れさせる２個の操作部と、
上記挾持部の一方の外側に設けられた、調律器を取り付けるための取付部と、
上記挾持部の内側から突出し、弾性体で形成され、調律器用クリップが閉じた状態で互いに接触する２個の凸部と、
を含む調律器用クリップ。
【請求項２】
請求項１に記載の調律器用クリップにおいて、
各上記挾持部の内側には、曲率半径が異なる２以上の曲面が形成されている、
ことを特徴とする調律器用クリップ。
【請求項３】
請求項１又は２に記載の調律器用クリップにおいて、
上記操作部は、調律器用クリップが閉じた状態で、上記回動軸から遠ざかるにつれて互いに離れている、
ことを特徴とする調律器用クリップ。
【発明の詳細な説明】
【技術分野】
【０００１】
この発明は、各種楽器の調律を行う調律器の送信機を楽器に取り付けるための調律器用クリップに関し、特に、調律器の送信機をクリップの挟持部の一方に取り付ける為の送信機取付部が設けられた調律器用クリップに関する。
【背景技術】
【０００２】
調律器を取付可能な調律器用クリップが知られている（例えば、特許文献１参照。）。この調律器用クリップの締め付け部の内側には弾性変形可能な中空のラバーが設けられている。したがって、この調律器用クリップは、様々な形状の楽器に取り付けることができる。
【０００３】
調律しようとする者は、調律器用クリップを用いて調律器を楽器に取り付けて、調律を行っていた。
【先行技術文献】
【特許文献】
【０００４】
【特許文献１】特開２００５−２８４０３５号公報
【発明の概要】
【発明が解決しようとする課題】
【０００５】
しかしながら、特許文献１に記載された調律器用クリップは厚みのあるものに取り付けることはできるが、薄いシート状のものに取り付けた場合、取付後の状態が安定しなくなるという課題があった。
【課題を解決するための手段】
【０００６】
上記の課題を解決するために、調律器用クリップは、回動軸に回動自在に支持された２個の挾持部と、挾持部が互いに近づく方向に挾持部を付勢する付勢部と、回動軸に回動自在に支持され、挾持部と連動し、互いに近づく方向に操作されると挾持部を互いに離れさせる２個の操作部と、挾持部の一方の外側に設けられた、調律器を取り付けるための取付部と、挾持部の内側から突出し、弾性体で形成され、調律器用クリップが閉じた状態で互いに接触する２個の凸部と、を含む。
【発明の効果】
【０００７】
挾持部の先端と凸部の２箇所で薄いシート状のものを挟むことができるため、調律器用クリップを薄いシート状のものに安定して取り付けることができる。この調律器用クリップを用いて調律器を取り付けることができる場所が増えることにより、調律器の使い易さが増す。
【図面の簡単な説明】
【０００８】
【図１】調律用クリップの例を示す図。（Ａ）は正面図。（Ｂ）は左側面図。（Ｃ）は右側面図。（Ｄ）は斜視図。（Ｅ）は背面図。
【図２】対象物を調律器用クリップで挟んだ状態を示す図。（Ａ）は対象物の径が最も小さい場合、及び、対象物の周面の曲率半径が第一曲面の曲率半径と同じ場合の図。（Ｂ）は対象物の周面の曲率半径が第二曲面の曲率半径と同じ場合の図。（Ｃ）は対象物の径が最も大きい場合の図。
【図３】調律器用クリップの使用例を示す図。
【図４】送信機の例を示す図。（Ａ）は正面図。（Ｂ）は左側面図。（Ｃ）は右側面図。（Ｄ）は平面図。（Ｅ）は底面図。（Ｆ）は背面図。
【図５】送信機の例の斜視図。（Ａ）は表から見た斜視図。（Ｂ）は裏から見た斜視図。
【図６】調律器の例の機能ブロック図。
【図７】送信機の例の機能ブロック図。
【発明を実施するための形態】
【０００９】
以下、この発明の実施の形態について詳細に説明する。
【００１０】
調律用クリップは、図１に例示するように、互いに回動自在に接続された一対のアーム部３，４により構成される。
【００１１】
各アーム部３，４の端部の一方には対象物６を挟む部分である挾持部３ａ，４ａが形成されており、他方の端部には調律用クリップを開閉するために押圧操作される操作部３ｂ，４ｂが形成されている。また、挾持部３ａ，４ａと操作部３ｂ，４ｂとの間の基部３ｃ，４ｃには、回動軸５を保持する保持部３ｄ，４ｄが突出して設けられている。
【００１２】
図１（Ａ）に例示するように、アーム部３の断面はＳ字形状である。挾持部３ａは、湾曲しており、調律器用クリップが閉じた状態で、端部に近づくにつれて挾持部４ａから一度遠ざかるが、端部に更に近づくと挾持部４ａに近づき、先端部においては挾持部４ａの先端と接触している。操作部３ｂは、調律器用クリップが閉じた状態で、端部に近づくにつれて操作部４ｂから離れる方向に湾曲している。すなわち、操作部３ｂ，４ｂは、回動軸５から遠ざかるにつれて互いに離れている。これにより、操作部３ｂ，４ｂの可動範囲が増えるため、調律器用クリップをより大きく開くことができ、図２（Ｃ）に例示するように、径が大きい対象物６を挟み込むことができる。
【００１３】
一方、図１（Ａ）に例示するように、アーム部４の断面はＪ字形状である。アーム部４の断面が直線形状となっている部分に操作部４ｂ、基部４ｃ及び挾持部４ａの一部が形成されている。調律器用クリップが閉じた状態で、端部に近づくにつれて挾持部４ａは、挾持部３ａに近づく方向に湾曲している。
【００１４】
図１（Ｃ）に例示するように、回動軸５には、挾持部３ａ，４ａが互いに近づく方向にアーム部３，４を付勢する付勢部８が取り付けられている。アーム部３，４を付勢することにより、挾持部３ａ，４ａが付勢される。この例では、付勢部８はねじりコイルばねである。付勢部８による付勢力に抗して操作部３ｂ，４ｂを互いに近づく方向に操作すると、挾持部３ａ，４ａが互いに離れる方向に連動して動く。
【００１５】
挾持部３ａ，４ａの内側及び先端は、弾性体で形成されている。挾持部３ａ，４ａで対象物６を挟み込むときに、この弾性体が対象物６の形状に応じて弾性変形するため、調律用クリップはより安定して対象物６を挟み込むことができる。
【００１６】
挾持部３ａ，４ａの内側には、弾性体で形成され、調律器用クリップが閉じた状態で互いに接触する凸部３ｇ，４ｇが形成されている。図１に例だと、挾持部３ａ，４ａの基部３ｃ，４ｃに近い位置に凸部３ｇ，４ｇが形成されている。
【００１７】
このように、調律器用クリップが閉じた状態で互いに接触する凸部３ｇ，４ｇを形成することで、挾持部３ａ，４ａの先端と凸部３ｇ，４ｇの２箇所で薄いシート状のものを挟むことができるため、調律器用クリップを薄いシート状のものに取り付けることができる。例えば、楽器用ストラップの帯や、図３に例示するように金管楽器の開口部に調律用クリップを取り付けることができる。この調律器用クリップを用いて調律器を取り付けることができる場所が増えることにより、調律器の使い易さが増す。
【００１８】
また、凸部３ｇ，４ｇの回動軸５に近い側の面と、アーム部３，４の保持部３ｄ，４ｄの挾持部３ａ，４ａが設けられている側の面、すなわち対象物６が挟まれる側の面とで、図２（Ａ）に例示するように、比較的径が小さい対象物６を挟み込むことができ、調律器用クリップを用いて調律器を取り付けることができる場所がさらに増える。この場合、アーム部３，４の保持部３ｄ，４ｄの挾持部３ａ，４ａが設けられている側の面に弾性体を設けてもよい。図１の例だと、保持部３ｄの挾持部３ａが設けられている側の面に弾性体３ｈが設けられている。このように、弾性体３ｈ，４ｈを設けることにより、凸部３ｇ，４ｇと弾性体３ｈ，４ｈとで、より安定して対象物６を挟み込むことができる。
【００１９】
挾持部３ａ，４ａの内側は、曲率半径が異なる２以上の曲面が形成されている。図１の例だと、挾持部３ａ，４ａの中央部の内側に第一曲面３ｅ，４ｅが形成されており、中央部よりも端部側の内側には、第一曲面３ｅ，４ｅよりも曲率半径の大きい第二曲面３ｆ，４ｆが形成されている。このように、曲率半径が異なる２以上の曲面を形成することにより、図２（Ａ）及び図２（Ｂ）に例示するように、異なる大きさの円柱を安定して挟み込むことが可能となる。
【００２０】
挾持部３ａの外側（挾持部４ａと対向しない側）には、調律器を取り付けるための取付部７が形成されている。調律器は、図１に示すように、送信機１と受信機２とを例えば含む。取付部７には、調律器の送信機１が取り付けられる。
【００２１】
図１に例示するように、取付部７の中央に係合部７ａが設けられている。係合部７ａの一端は取付部７の周縁に接続され、そこから取付部７の中央に延伸している。係合部７ａは、取付部７の周縁に対して揺動可能である。例えば、取付部７の中央にコの字形状の切り欠きを設けることにより、係合部７ａが形成される。係合部７ａの先端には、抜け止め用の突起７ｃが形成されている。係合部７ａを挟むように、２個の折曲部７ｂが、係合部７ａの延伸方向に沿って設けられる。各折曲部７ｂは取付部７の板面から垂直方向に延伸され、その先端は互いに離れる方向に折り曲げられており、その断面はＬ字状となっている。
【００２２】
調律器用クリップに取り付けられる調律器は、図６に例示するように、送信機１及び受信機２で構成されるいわゆるワイヤレス型の調律器である。図４及び図５に例示する調律器の送信機１が、取付部７に取り付けられる。
【００２３】
図４及び図５に例示するように、送信機１は長円柱形状であり、その長手方向の端部に、取付部７に対応する受部１ａが設けられている。受部１ａは、取付部７の折曲部７ｂの形状に対応するＬ字形状の溝であるガイド部１ｂ、及び、取付部７の係合部７ａの突起７ｃが落ちる凹部１ｃを含む。送信機１の正面には、電源スイッチ１ｄが設けられている。送信機１の長手方向に対する垂直方向の端部には、凹凸部１ｅが設けられている。凹凸部１ｅは滑り止めの効果を有し、送信機１の取付部７に対する取り付け、取り外しのためのスライドを容易にする。
【００２４】
送信機１の取付部７への取り付けは、取付部７の折曲部７ｂを送信機１のガイド部１ｂに嵌め込み、送信機１を取付部７にスライドさせることにより行われる。スライドをさせると、取付部７の係合部７ａの先端の突起７ｃが送信機１の受部１ａの凹部１ｃに落ち、これにより抜け止めがされる。
【００２５】
送信機１には、図７に示すように、入力部１１、基本周期情報生成部１２及び送信部１４を例えば含む。入力部１１は、入力された音を電気信号に変換する。変換された電気信号である音信号は、基本周期情報生成部１２に送られる。入力部１１は、例えばピエゾ等のピックアップ、又は、マイクロフォンである。基本周期情報生成部１２は、入力された音信号を用いて、入力された音の基本周期に関する情報である基本周期情報を生成する。生成された基本周期情報は、送信部１４により、調律器の受信機２に無線送信される。受信機２は、受信した基本周波数情報に基づいて入力された音の基本周波数を表示する。
【００２６】
このように、送信機１が生成した基本周期情報を受信機２に無線送信することにより、ケーブルが不要となり、調律器用クリップの配置の自由度が増す。音信号を送らずに、基本周期情報を無線送信することにより、無線送信するデータの量を減らすことができる。また、送信機１から基本周期情報を送ることで、送信機１の消費電力の増加を抑えると共に機能や部品の増加を押さえることが可能となる。もちろん、送信機１が基本周期情報ではなく入力された音信号自体を無線送信して、受信機２が受信した音信号に基づいて基本周期を表示してもよい。
【００２７】
この発明は、上述の実施形態に限定されるものではなく、本発明の趣旨を逸脱しない範囲で適宜変更が可能である。
【符号の説明】
【００２８】
１     送信機
２     受信機
３ａ，４ａ    挾持部
３ｂ，４ｂ    操作部
３ｅ，４ｅ    第一曲面
３ｆ，４ｆ    第二曲面
３ｇ，４ｇ    凸部
５     回動軸
７     取付部
８     付勢部
【図１】
2011197528.tif 000003
【図２】
2011197528.tif 000004
【図３】
2011197528.tif 000005
【図４】
2011197528.tif 000006
【図５】
2011197528.tif 000007
【図６】
2011197528.tif 000008
【図７】
2011197528.tif 000009